(57)【要約】【課題】多品種、少量生産に適し、平面的なプリント柄よりも楽しい立体的装飾を施した袋物であり、更に、透明部材が密着している部分と密着していない部分とで生じる色むらを生じさせない、あるいは、気にならないような袋物を提供する。【解決手段】袋物を構成する部材の一部が、内側部材と外側部材の２種類の部材で構成され、内側部材に立体的装飾物を貼付し、その上から透明な軟質合成樹脂の外側部材を重ね、部材の周辺部分で内側と外側の部材を接合した構造である袋物。【選択図】図１
2015089455.tif 000002
【特許請求の範囲】
【請求項１】
袋物を構成する部材の一部が、内側部材と外側部材の２種類の部材から構成され、
立体的な装飾物が内側部材の表面に貼付され、
その上に透明な軟質合成樹脂製の外側部材が重ねられ、両部材の周辺部分で内側と外側の部材が接合された構造であることを特徴とする袋物。
【請求項２】
袋物を構成する部材の一部が、内側部材と外側部材の２種類の部材から構成され、
内側部材は、２色以上の彩色が施された布地にポリ塩化ビニルがコーティングされたものであり、
外側部材は、透明なポリ塩化ビニル製であり、
立体的な装飾物が内側部材の表面に貼付され、
その上に外側部材が重ねられ、両部材の周辺部分で内側と外側の部材が接合された構造であることを特徴とする袋物。
【請求項３】
袋物を構成する部材の一部が、内側部材と外側部材の２種類の部材で構成され、
内側部材は、裏面に２色以上の彩色が施された透明なポリ塩化ビニル製であり、
外側部材は、透明なポリ塩化ビニル製であり、
立体的な装飾物が内側部材の表面に貼付され、
その上に外側部材が重ねられ、両部材の周辺部分で内側と外側の部材が接合された構造であることを特徴とする袋物。
【請求項４】
袋物を構成する部材の一部が、内側部材と外側部材の２種類の部材から構成され、
内側部材は、ポリ塩化ビニルがコーティングされた布地であって、そのコーティングされた表面に微細な凹凸構造が施されており、
外側部材は、透明なポリ塩化ビニル製であり、
立体的な装飾物が内側部材の表面に貼付され、
その上に外側部材が重ねられ、両部材の周辺部分で内側と外側の部材が接合された構造であることを特徴とする袋物。
【請求項５】
袋物を構成する部材の一部が、内側部材と外側部材の２種類の部材から構成され、
内側部材は、透明なポリ塩化ビニル製であって、その表面に微細な凹凸構造が施されており、
外側部材は、透明なポリ塩化ビニル製であり、
立体的な装飾物が内側部材の表面に貼付され、
その上に外側部材が重ねられ、両部材の周辺部分で内側と外側の部材が接合された構造であることを特徴とする袋物。
【発明の詳細な説明】
【技術分野】
【０００１】
本発明は、袋物の装飾に関するものである。
【背景技術】
【０００２】
ハンドバッグ、化粧品ポーチ、小物入れ、手提げ袋などの袋物にとって、表面のデザインは、袋物を魅力的にする重要な要素である。そして、従来、袋物表面のデザインは、プリントする図柄や表面の質感、手触り、部材の素材などを工夫することにより行われてきた。
【０００３】
これらの手法は、いずれも平面的な範疇のデザインであるが、例えば、袋物を水族館や動物園などの土産物として提供するような場合、楽しかった思い出を更に印象深く残すため、単なる平面的なプリントだけのデザインでなく、立体的なデザインの工夫が求められている。
また、プリントは、同じデザインの袋物を大量に生産することには適しているが、多種のデザインを比較的少量ずつ生産するには適した手法ではない。例えば、水族館の土産物としては、魚や海獣などを使ったデザイン、動物園の土産物としては、動物を使ったデザインなど、それぞれ異なる多品種のデザインが要求されるのである。
【０００４】
これらの課題に対し、プリントした部材を裏面から型押しするなどして、立体的に盛り上げるエンボスという手法があるが、大雑把な形に盛り上げるだけなので、あまり立体的な面白さを得られず、しかも、依然として多品種少量生産には適さない手法である。
【０００５】
また、特許文献１及び２に記載された、上下２枚のフィルムの間に立体形状を有した平面状装飾物を挟み込む手法を、袋物を構成する部材に応用することも考えられる。
すなわち、立体的装飾物を上下２枚のフィルムの間に挟み込み、立体的装飾物の周囲のフィルムを溶着、又は接着して空気とともに密閉したフィルムを部材として袋物を構成することである。
【先行技術文献】
【特許文献】
【０００６】
【特許文献１】実開平２−７８３９９号公報
【特許文献２】特開２００３−３００４００号公報
【発明の概要】
【発明が解決しようとする課題】
【０００７】
しかしながら、特許文献１に記載された手法では、確かに立体的装飾物が宙に浮いて見えるが、立体的装飾物は空気とともにフィルムにはさみこまれ、気泡状の空間に存在することとなるため、フィルムは通気性のないものが前提となり、従来のデザインで使っていた素材が気密性のないものである場合、それと組み合わせることができず、従来のデザインを更に印象深くするという使い方ができない。
【０００８】
また、この手法では上下２枚のフィルムが密着する部分と密着しない部分の２つの領域が生じることとなるが、空気とフィルムで屈折率が異なることから、フィルムが密着する部分では光の反射は生じないが、密着しない部分では光の反射が生じることとなる。このため、フィルムが密着する部分と密着しない部分が色むらのように見えるという新たな問題が生じてしまう。
【０００９】
また、特許文献２に記載された手法を応用した場合、従来のデザインで使っていた素材に装飾片を重ね、空気を排出しつつ透明熱溶着性フィルムを熱溶着させることとなるが、装飾片の形に透明熱溶着性フィルムが盛り上がり、袋物としては手触りが悪く、好ましくない。
空気を排出せずに透明フィルムを溶着した場合、特許文献１と同様に光の反射による色むらのように見えるという問題が生じてしまう。
【００１０】
本発明は上記事情に鑑みてなされたものであり、単なる平面的なデザインや単なる立体的装飾物が宙に浮いているデザインよりも印象的なデザインであって、多品種少量生産に適しており、更に、透明部材が密着している部分と密着していない部分とで生じる色むらを生じさせない、あるいは、気にならないような袋物を提供することを目的とする。
【課題を解決するための手段】
【００１１】
本発明による袋物は、袋物を構成する部材の一部が、内側部材と外側部材の２種類の部材から構成され、立体的な装飾物が内側部材の表面に貼付され、その上に透明な軟質合成樹脂製の外側部材が重ねられ、両部材の周辺部分で内側と外側の部材が接合された構造であることを特徴とするものである。
【００１２】
「袋物」とは、物を入れる袋状の道具のことであり、ハンドバッグ、化粧ポーチ、筆入れ、小物入れ、手提げ袋などの総称である。
「袋物を構成する部材」とは、皮革、布、不織布、紙、軟質合成樹脂など袋物を通常構成する部材であり、通気性の有無を問わない。
「貼付され」とは、接着剤や両面テープによる接着手段に加え、縫製による取付手段も含む。
「立体的な装飾物」とは、高さ方向にもデザインされた装飾物を意味する。
「接合された」とは、縫製、接着、溶着など方法は問わず、２つの部材を簡単に外れないように固定された状態をいう。
【００１３】
また、本発明による袋物は、袋物を構成する部材の一部が、内側部材と外側部材の２種類の部材から構成され、内側部材は、２色以上の彩色が施された布地にポリ塩化ビニルがコーティングされたものであり、外側部材は、透明なポリ塩化ビニル製であり、立体的な装飾物が内側部材の表面に貼付され、その上に外側部材が重ねられ、両部材の周辺部分で内側と外側の部材が接合された構造であることを特徴とするものである。
【００１４】
また、本発明による袋物は、袋物を構成する部材の一部が、内側部材と外側部材の２種類の部材で構成され、内側部材は、裏面に２色以上の彩色が施された透明なポリ塩化ビニル製であり、外側部材は、透明なポリ塩化ビニル製であり、立体的な装飾物が内側部材の表面に貼付され、その上に外側部材が重ねられ、両部材の周辺部分で内側と外側の部材が接合された構造であることを特徴とするものである。
【００１５】
また、本発明による袋物は、袋物を構成する部材の一部が、内側部材と外側部材の２種類の部材から構成され、内側部材は、ポリ塩化ビニルがコーティングされた布地であって、そのコーティングされた表面に微細な凹凸構造が施されており、外側部材は、透明なポリ塩化ビニル製であり、立体的な装飾物が内側部材の表面に貼付され、その上に外側部材が重ねられ、両部材の周辺部分で内側と外側の部材が接合された構造であることを特徴とするものである。
【００１６】
また、本発明による袋物は、袋物を構成する部材の一部が、内側部材と外側部材の２種類の部材から構成され、内側部材は、透明なポリ塩化ビニル製であって、その表面に微細な凹凸構造が施されており、外側部材は、透明なポリ塩化ビニル製であり、立体的な装飾物が内側部材の表面に貼付され、その上に外側部材が重ねられ、両部材の周辺部分で内側と外側の部材が接合された構造であることを特徴とするものである。
【発明の効果】
【００１７】
本発明によれば、従来の平面的なデザインの上に立体的な装飾物をアクセントとして効果的に配置することができ、需要者にとってより印象的なデザインの袋物とすることができる。
【００１８】
また、立体的な装飾物によりデザインのバリエーションを広げることができるので、例えば共通する背景は印刷などを使って安価に製作し、貼付する立体的装飾物の選択を変えることで簡単に袋物のデザインを変更することができ、最低製作数を気にすることなく多品種の袋物を製作することができる。
【００１９】
また、本発明によれば、内側部材としてポリ塩化ビニルがコーティングされた布地が使われることから、立体的装飾物が貼付し易くなる。
更に、コーティングされたポリ塩化ビニルとポリ塩化ビニルを重ねると、密着した部分と密着しない部分が色むらになって見え、袋物の外観を損ねることとなるが、背景となる布地が２色以上の彩色が施されていて、布地の彩色のコントラストの方がポリ塩化ビニルの表面反射による色むらのコントラストよりも強いため、色むらに見える反射が気にならなくなり、袋物の外観を損ねることがない。
【００２０】
また、本発明によれば、内側部材は、裏面に２色以上の彩色が施された透明なポリ塩化ビニル製であることから、ポリ塩化ビニルの表面反射による色むらよりも内側部材裏面の彩色のコントラストの方が強いことに加え、内側部材の厚みの分だけ目の焦点位置がずれるので、いっそう色むらに見える反射が気にならなくなり、袋物の外観を損ねることがない。
【００２１】
また、本発明によれば、内側部材は、ポリ塩化ビニルがコーティングされた布地であって、そのコーティングされた表面に微細な凹凸構造が施されているので、外側部材のポリ塩化ビニルと密着することがなく、表面反射による色むらが発生せず、袋物の外観を損ねることがない。
【００２２】
また、本発明によれば、内側部材は、透明なポリ塩化ビニルであって、その表面に微細な凹凸構造が施されているので、外側部材のポリ塩化ビニルと密着することがなく、表面反射による色むらが発生せず、袋物の外観を損ねることがない。
【００２３】
なお、特許文献１に記載の手法で要求されるような部材の気密性は不要なため、従来袋物の部材として使われてきた素材を内側部材の素材として使用することに特段の制約がない。そのため、従来のデザインに立体的装飾物のアクセントを添えるという効果的なデザインが可能となる。
【図面の簡単な説明】
【００２４】
【図１】本発明の実施形態の１例である小物入れを示す斜視図である。
【図２】立体的装飾物を貼付した個所の断面図である。
【図３】無地を背景に立体的装飾物を貼付した個所の正面図である。
【図４】２色以上の彩色を施した背景に立体的装飾物を貼付した個所の正面図である。
【発明を実施するための形態】
【００２５】
以下、図面を参照して本発明の実施形態を詳細に説明する。
【００２６】
図１は、本発明の実施形態の１例である小物入れを示す斜視図である。小物入れ１の側面を構成する部材が本発明に示す構造を備えている。すなわち、立体的装飾物２が内側部材３に貼付されていて、その上から透明な軟質合成樹脂による外側部材４が重ねられ、周辺部分で小物入れの縫製により接合されている。
従来のデザインでは、単純に平面的であったところ、立体的装飾物２が加わることにより、楽しい印象を与えるデザインとなっている。
【００２７】
図２は、立体的装飾物２を貼付した個所の断面図である。内側部材３の表面に立体的装飾物２が貼付されている。
【００２８】
内側部材３の素材は、布地のように通気性のあるものでも、ポリ塩化ビニルのように通気性のないものであってもよい。
【００２９】
立体的装飾物２の素材は、高さ、投影面積、硬さなど、特段制約はない。立体的装飾物２は内側部材と外側部材に挟まれて圧力を受けることとなるので、軟質な素材の場合、圧力による変形を考慮したデザインが必要となる。
【００３０】
貼付する立体的装飾物２の数にも特段制約はない。比較的小さな多種の装飾物を貼付すれば、個々の装飾物の選択と貼付位置により全体としてデザインの自由度が上がる。例えば、魚や海獣で統一したテーマの装飾物を使用すれば水族館のような印象が得られ、動物で統一したテーマの装飾物を使用すれば動物園のような印象が得られることとなる。そして、同じ印象のまま、立体的装飾物２の貼付位置を変えることで、異なるデザインとすることができ、デザインの自由度は高い。
【００３１】
立体的装飾物２は、内側部材３と接する貼り付け面が平面になっており、そこに接着剤が塗布されているので、容易に内側部材３に貼付でき、袋物製作作業を効率的に進めることができる。
なお、立体的装飾物２の貼付手段には、特段制約はない。接着剤や両面テープによれば袋物製作時に作業が楽になるが、縫製による手段であってもよい。
【００３２】
立体的装飾物２を内側部材３の表面に貼付し、その上から外側部材４を重ね、両部材の周辺部で接合手段５により両部材を接合する。具体的な接合手段は、縫製であったり、接着や融着であったり、適宜袋物の製作に合った手段が選択できる。
【００３３】
内側部材３に貼付した立体的装飾物２は、外側部材４に保護され、直接手が触れたり、他の物に当ったりすることがなく、剥がれ落ちることがない。
【００３４】
外側部材４の厚みは、あまり厚いと袋物の縫製が困難になり、あまり薄いと立体的装飾物２の形状が盛り上がって袋物の手触りがよくない。具体的には、ポリ塩化ビニルの場合、０．２ｍｍから０．４ｍｍ程度の厚みが適当である。
【００３５】
立体的装飾物２の上から外側部材４を重ねるので、外側部材４は立体的装飾物２に押されて、その部分が少し膨らむこととなる。この立体的装飾物２の周囲で外側部材４が膨らんだ部分は、内側部材３と外側部材４が密着できないので、非密着領域６となり、立体的装飾物２から離れた場所では内側部材３と外側部材４が密着できるので、密着領域７となる。
【００３６】
内側部材３として、ポリ塩化ビニルのシート、あるいは、ポリ塩化ビニルを表面にコーティングした布地を使用し、外側部材４に透明なポリ塩化ビニルシートを使用した場合、密着領域７では内側部材３と外側部材４が隙間なく接することとなる。すなわち、この接触面の両側はともにポリ塩化ビニルということになり、屈折率に差が生じず、内側部材３の表面で光の反射は生じないこととなる。
【００３７】
一方、非密着領域６では、内側部材３の表面は空気と触れていることとなり、屈折率が空気とポリ塩化ビニルで異なることから、この部分では内側部材３の表面で光の反射が生じることとなる。
【００３８】
この状態を、外側部材４を通して見ると、図３のように見える。すなわち、立体的装飾物２の周囲にある非密着領域６では内側部材３の表面反射がやや白っぽく見える一方、その外側にある密着領域７では内側部材３の表面反射が見えない。この内側部材３の表面反射と、背景となる内側部材３の色が重なって見えることから、この２つの領域は色むらのように見えることとなるのである。
【００３９】
内側部材３として、２色以上の彩色が施された布地にポリ塩化ビニルがコーティングされたもの、あるいは、裏面に２色以上の彩色が施された透明なポリ塩化ビニルを使用すると、図４のように見え、色むらは気にならない。実際には表面反射の有無による色むらは生じているが、そのコントラストが背景となる２色以上の彩色のコントラストよりも低いため、気付き難くなるためである。
【００４０】
この表面反射の有無による色むらは、背景の２色以上の彩色によるコントラストが高い程気付き難くなり、逆に無地を背景とした場合、最も目立つこととなる。
【００４１】
内側部材３として裏面に２色以上の彩色が施された透明なポリ塩化ビニルを使用した場合、内側部材３の表面と、２色以上の彩色が施された裏面と、内側部材の厚みの分だけ目の焦点位置がずれるので、より一層色むらに気付き難くなる。
【００４２】
内側部材３として、ポリ塩化ビニルのシート、あるいは、ポリ塩化ビニルを表面にコーティングした布地を使用し、その表面に微細な凹凸構造を施すと、ポリ塩化ビニル製の外側部材４が密着することを防ぐことができる。微細な凹凸構造により、内側部材３と外側部材４との間にわずかな間隙を保持することができ、密着しないためである。
【００４３】
内側部材３と外側部材４が密着しない場合、内側部材３の表面反射のある部分とない部分に分かれることがなくなり、図３のような色むらは生じないこととなる。従って、無地を背景とすることもでき、デザインの制約が少なくなる。
【００４４】
ポリ塩化ビニル表面の微細な凹凸構造は、微細な凹凸構造をもつ金属型を押し付けて加熱するなど、エンボス加工の技術により、施すことができる。
【符号の説明】
【００４５】
１  小物入れ
２  立体的装飾物
３  内側部材
４  外側部材
５  内側部材と外側部材の接合手段
６  内側部材と外側部材の非密着領域
７  内側部材と外側部材の密着領域
【図１】
2015089455.tif 000003
【図２】
2015089455.tif 000004
【図３】
2015089455.tif 000005
【図４】
2015089455.tif 000006